【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】
次式Ｉ
【化１】
1999315067.tif 000001
（式中、Ｒ1、Ｒ2、Ｒ3およびＲ4は互いに独立して炭素原子数１ないし８のアルキル基または炭素原子数１ないし５のヒドロキシアルキル基を表すか、あるいはＲ1およびＲ2は該基が結合している炭素原子と一緒になって炭素原子数５ないし１２のシクロアルキル基を表すか、あるいはＲ3およびＲ4は該基が結合している炭素原子と一緒になって炭素原子数５ないし１２のシクロアルキル基を表し；Ｒ5、Ｒ6、Ｒ7、Ｒ8およびＲ9は互いに独立して水素原子、炭素原子数１ないし８のアルキル基、炭素原子数２ないし８のアルケニル基、炭素原子数５ないし１２のアリール基、炭素原子数１ないし４のハロアルキル基、電子求引基；または炭素原子数１ないし４のアルキル基、炭素原子数１ないし４のアルコキシ基、ハロゲン原子から選択された残基により置換された炭素原子数６ないし１２のアリール基を表し、そしてＲ7およびＲ8は一緒になって化学結合を形成してもよく；そして
Ｒは、２ないし５００個の炭素原子を含み、そして該基が直接的に結合している炭素原子および窒素原子と一緒になって、置換された５、６または７員環環式構造を形成する有機架橋基を表す。）で表される化合物の製造方法であって、
次式ＩＩ
【化２】
1999315067.tif 000002
（式中、全ての残基ＲおよびＲ1ないしＲ9は式Ｉで定義された通りである。）で表される化合物を酸化することを特徴とする方法。
【請求項２】
次式Ｖ
【化３】
1999315067.tif 000003
（式中、Ｒ、Ｒ1、Ｒ2、Ｒ3およびＲ4、Ｒ5、Ｒ6およびＲ9は請求項１で式Ｉに関して定義された通りであり、
Ｒ7およびＲ8は水素原子、炭素原子数１ないし８のアルキル基、炭素原子数３ないし８のアルケニル基、炭素原子数５ないし１２のアリール基、炭素原子数１ないし４のハロアルキル基、ハロゲン原子、電子求引基；または炭素原子数１ないし４のアルキル基、炭素原子数１ないし４のアルコキシ基、ハロゲン原子から選択された残基により置換された炭素原子数６ないし１２のアリール基を表し；そして
Ｒ20およびＲ21の両方は水素原子かハロゲン原子のどちらかを表す。）で表される化合物の製造方法であって；請求項１中で定義された式ＩＩで表される化合物を酸化し、そして得られた式Ｉで表される中間体を水素化および／またはハロゲン化することを特徴とする方法。
【請求項３】
Ａ）酸化、熱および／または化学線作用による分解を受けやすい有機ポリマー、および
Ｂ）次式ＩＩＩａ、ＩＶａまたはＶａ
【化４】
1999315067.tif 000004
〔式中、Ｒ’およびＲのそれぞれは次式
【化５】
1999315067.tif 000005
で表される有機架橋基を表し；
Ｅ2は−ＣＯ−または−（ＣＨ2）p−（式中、ｐは０、１または２である。）を表し；
Ｅ1は２個の残基Ｒ24およびＲ25を有する炭素原子を表すか、あるいは＞Ｎ−Ｒ25を表すか、あるいは酸素原子を表し、そしてＲ24およびＲ25は水素原子または有機残基を表し、架橋基Ｒは全体で２ないし５００個の炭素原子を含むことを特徴とし；
Ｒ1、Ｒ2、Ｒ3およびＲ4は互いに独立して炭素原子数１ないし８のアルキル基または炭素原子数１ないし５のヒドロキシアルキル基を表すか、あるいはＲ1およびＲ2は該基が結合している炭素原子と一緒になって炭素原子数５ないし１２のシクロアルキル基を表すか、あるいはＲ3およびＲ4は該基が結合している炭素原子と一緒になって炭素原子数５ないし１２のシクロアルキル基を表し；
Ｒ5、Ｒ6、Ｒ7、Ｒ8およびＲ9は互いに独立して水素原子、炭素原子数１ないし８のアルキル基、炭素原子数２ないし８のアルケニル基、炭素原子数５ないし１２のアリール基、炭素原子数１ないし４のハロアルキル基、電子求引基；または炭素原子数１ないし４のアルキル基、炭素原子数１ないし４のアルコキシ基、ハロゲン原子から選択された残基により置換された炭素原子数６ないし１２のアリール基を表し；
Ｒ20およびＲ21はハロゲン原子を表し；そして
Ｒ22およびＲ23は水素原子を表すか、または一緒になって化学結合を形成する。〕で表される化合物の少なくとも一種からなる組成物。
【請求項４】
溶媒、顔料、染料、可塑剤、酸化防止剤、安定剤、チキソトロープ剤、均染助剤、更なる光安定剤、金属不活性化剤、ホスフィットおよびホスホナイト、及び難燃剤から選択された更なる成分を含む請求項３記載の組成物。
【請求項５】
２−ヒドロキシフェニル−ベンゾトリアゾール、２−ヒドロキシフェニル−ｓ−トリアジン、ベンゾフェノンから選択された紫外線吸収剤である更なる成分を含む請求項４記載の組成物。
【請求項６】
次式Ｉａ
【化６】
1999315067.tif 000006
〔式中、指数ｎは１ないし１５の範囲にわたり；
Ｒ5、Ｒ6、Ｒ7、Ｒ8およびＲ9は互いに独立して炭素原子数１ないし８のアルキル基、炭
素原子数３ないし８のアルケニル基、炭素原子数５ないし１２のアリール基、電子求引基；または炭素原子数１ないし４のアルキル基、炭素原子数１ないし４のアルコキシ基、ハロゲン原子により置換された炭素原子数６ないし１２のアリール基を表し；
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基あるいは１，４−ピペラジンジイル基、−Ｏ−または＞Ｎ−Ｘ1（式中、Ｘ1は炭素原子数１ないし１２のアシル基または（炭素原子数１ないし１２のアルコキシ）カルボニル基を表すか、あるいは水素原子を除いて以下に与えられるＲ14の定義の一つを有す。）により中断された炭素原子数４ないし１２のアルキレン基を表し；
あるいはＲ12は次式（Ｉｂ’）または（Ｉｃ’）
【化７】
1999315067.tif 000007
（式中、ｍは２または３であり、
Ｘ2は炭素原子数１ないし１８のアルキル基、未置換または炭素原子数１ないし４のアルキル基の１、２もしくは３個により置換された炭素原子数５ないし１２のシクロアルキル基；未置換または炭素原子数１ないし４のアルキル基もしくは炭素原子数１ないし４のアルコキシ基の１、２もしくは３個により置換されたフェニル基；未置換または炭素原子数１ないし４のアルキル基の１、２もしくは３個によりフェニル基上に置換された炭素原子数７ないし９のフェニルアルキル基を表し；そして
基Ｘ3は互いに独立して炭素原子数２ないし１２のアルキレン基を表す。）で表される基を表し；
基Ａは互いに独立して−ＯＲ13、−Ｎ（Ｒ14）（Ｒ15）または次式（Ｉｄ’）
【化８】
1999315067.tif 000008
で表される基を表し；
Ｒ13、Ｒ14およびＲ15は同一または異なっており、水素原子、炭素原子数１ないし１８のアルキル基；未置換または炭素原子数１ないし４のアルキル基の１、２もしくは３個により置換された炭素原子数５ないし１２のシクロアルキル基；炭素原子数３ないし１８のアルケニル基；未置換または炭素原子数１ないし４個のアルキル基もしくは炭素原子数１ないし４のアルコキシ基の１、２もしくは３個により置換されたフェニル基；未置換または炭素原子数１ないし４のアルキル基の１、２もしくは３個によりフェニル基上に置換された炭素原子数７ないし９のフェニルアルキル基；テトラヒドロフルフリル基、または２、３もしくは４位に−ＯＨ、炭素原子数１ないし８のアルコキシ基、ジ（炭素原子数１ないし４のアルキル）アミノ基または次式（Ｉｅ’）
【化９】
1999315067.tif 000009
（式中、Ｙは−Ｏ−、−ＣＨ2−、−ＣＨ2ＣＨ2−または＞Ｎ−ＣＨ3を表す。）で表される基により置換された炭素原子数２ないし４のアルキル基を表すか；
または−Ｎ（Ｒ14）（Ｒ15）は付加的に式（Ｉｅ’）で表される基を表し；
Ｘは−Ｏ−または＞Ｎ−Ｒ16を表し；
Ｒ16は水素原子、炭素原子数１ないし１８のアルキル基、炭素原子数３ないし１８のアルケニル基；未置換または炭素原子数１ないし４のアルキル基の１、２もしくは３個により置換された炭素原子数５ないし１２のシクロアルキル基；未置換または炭素原子数１ないし４のアルキル基の１、２もしくは３個によりフェニル基上に置換された炭素原子数７ないし９のフェニルアルキル基；テトラヒドロフルフリル基、次式（Ｉｆ’）
【化１０】
1999315067.tif 000010
で表される基、または２、３もしくは４位に−ＯＨ、炭素原子数１ないし８のアルコキシ基、ジ（炭素原子数１ないし４のアルキル）アミノ基または式（Ｉｅ’）で表される基により置換された炭素原子数２ないし４のアルキル基を表し；
Ｒ11はＲ16に関して与えられた定義の一つを有し；そして
基Ｂは互いに独立してＡに関して与えられた定義の一つを有する。〕で表される化合物。
【請求項７】
次式ＩＩＩｃ、ＩＶａまたはＶａ
【化１１】
1999315067.tif 000011
〔式中Ｒは次式
【化１２】
1999315067.tif 000012
で表される有機架橋基を表し；
Ｅ2は−ＣＯ−または−（ＣＨ2）p−（式中、ｐは０、１または２である。）を表し；
Ｅ1は２個の残基Ｒ24およびＲ25を有する炭素原子を表すか、あるいは＞Ｎ−Ｒ25を表すか、あるいは酸素原子を表し、そしてＲ24およびＲ25は水素原子または有機残基を表し、架橋基Ｒは全体で２ないし５００の炭素原子を含み、そして該基が直接的に結合している炭素原子および窒素原子と一緒になって、置換された５、６または７員環環式構造を形成することを特徴とし；
Ｒ1、Ｒ2、Ｒ3およびＲ4は互いに独立して炭素原子数１ないし８のアルキル基または炭素原子数１ないし５のヒドロキシアルキル基を表すか、あるいはＲ1およびＲ2は該基が結合している炭素原子と一緒になって炭素原子数５ないし１２のシクロアルキル基を表すか、あるいはＲ3およびＲ4は該基が結合している炭素原子と一緒になって炭素原子数５ないし１２のシクロアルキル基を表し；
Ｒ5、Ｒ6、Ｒ7、Ｒ8およびＲ9は互いに独立して水素原子、炭素原子数１ないし８のアルキル基、炭素原子数２ないし８のアルケニル基、炭素原子数５ないし１２のアリール基、炭素原子数１ないし４のハロアルキル基、電子求引基；または炭素原子数１ないし４のアルキル基、炭素原子数１ないし４のアルコキシ基、ハロゲン原子から選択された残基により置換された炭素原子数６ないし１２のアリール基を表し；
Ｒ20およびＲ21はハロゲン原子を表し；そして
Ｒ22およびＲ23は水素原子を表すか、または一緒になって化学結合を形成し、
ただし式ＩＩＩｃ中のＲは次式
【化１３】
1999315067.tif 000013
（式中、Ｒ24およびＲ25は一緒になって＝Ｏを表すか、または式中、Ｒ24は水素原子を表し、Ｒ25は水素原子、ＯＨあるいは、フェノキシ基またはアルキルフェノキシ基またはフェニル基またはアルキルフェニル基により置換されたアルカノイルオキシ基である。）で表される架橋基を表さない。〕で表される化合物。
【請求項８】
次式ＩＩＩｂ
【化１４】
1999315067.tif 000014
（式中、基Ａは互いに独立して−ＯＲ13、−Ｎ（Ｒ14）（Ｒ15）又は次式（ＩＩＩｄ）
【化１５】
1999315067.tif 000015
で表される基を表し；
Ｘは−Ｏ−または＞Ｎ−Ｒ16を表し；
Ｒ16は水素原子、炭素原子数１ないし１８のアルキル基、炭素原子数３ないし１８のアルケニル基；未置換または炭素原子数１ないし４のアルキル基の１，２もしくは３個により置換された炭素原子数５ないし１２のシクロアルキル基；未置換または炭素原子数１ないし４のアルキル基の１，２もしくは３個によりフェニル基上に置換された炭素原子数７ないし９のフェニルアルキル基；テトラヒドロフルフリル基、次式（ＩＩＩｆ）
【化１６】
1999315067.tif 000016
で表される基を表すか、
あるいは２、３もしくは４位に−ＯＨ、炭素原子数１ないし８のアルコキシ基、ジ（炭素原子数１ないし４のアルキル）アミノ基または式（Ｉｅ’）で表される基により置換された炭素原子数２ないし４のアルキル基を表し；
Ｒ11はＲ16に関して与えられた定義の一つを有し；そして
基Ｂは互いに独立してＡに関して与えられた定義の一つを有し；そしてここでは式（Ｉｅ’）および全ての他の記号は式Ｉａに関して請求項６で定義された通りである。）で表される請求項７記載の化合物。
【請求項９】
有機材料に安定剤を塗布することまたは有機材料に安定剤を配合することにより、光、酸素および／または熱による分解に対して該有機材料を安定化させるための方法であって、該安定剤が請求項６記載の式Ｉａで表される化合物および／または請求項７記載の式ＩＩＩｃ、ＩＶａもしくはＶａで表される化合物であることを特徴とする方法。
【請求項１０】
有機ポリマーのための難燃剤として、請求項７記載の式ＩＩＩｃまたは式Ｖａで表され
る化合物を使用する方法。